(57)【要約】【課題】煩雑な操作を行うことなく、簡単な回路構成で、通信環境に応じて所望のデータを受信可能な携帯端末を提供する。【解決手段】第１の通信方式によりデータ通信を行う第１の通信部１１１と、第１の通信部１１１の第１の通信方式と異なる第２の通信方式によりデータ通信を行う第２の通信部１１２と、第１の通信部１１１または第２の通信部１１２を通信環境に応じて選択する制御部１８とを有し、第１の通信部１１１で信可なデータと第２の通信部１１２で受信が許可されたデータとが異なるように設定する。たとえば、第１の通信部１１１ではテキストデータ、画像（静止画）データ、および音声データがダウンロード可能に設定され、第２の通信部１１２ではテキストデータのみがダウンロード可能に設定されている場合に、第１の通信部１１１または第２の通信部１１２を選択することで、自動的にダウンロードするデータを選択することができる。【選択図】図１
2006186650.tif 000002
【特許請求の範囲】
【請求項１】
第１の通信方式によりデータ通信を行う第１の通信手段と、
前記第１の通信手段の前記第１の通信方式と異なる第２の通信方式によりデータ通信を行う第２の通信手段と、
前記第１の通信手段または前記第２の通信手段を選択する制御手段と、を有し、
前記第１の通信手段で受信が許可されたデータと前記第２の通信手段で受信が許可されたデータとが異なるように設定されている
ことを特徴とする携帯端末。
【請求項２】
前記制御手段は、前記第１の通信手段または前記第２の通信手段を通信環境に応じて選択し、
前記制御手段により選択された前記第１の通信手段または前記第２の通信手段は、前記通信環境に応じて規定されたデータを受信する
ことを特徴とする請求項１に記載の携帯端末。
【請求項３】
前記第１および／または前記第２の通信手段について、少なくともテキストデータ、静止画データ、音声データ、動画データのいずれか１以上を前記受信が許可されたデータとして設定する設定手段を有し、
前記第１および／または前記第２の通信手段は、前記設定手段による設定に応じたデータ受信を行う
ことを特徴とする請求項１または請求項２に記載の携帯端末。
【請求項４】
前記第１の通信手段は、前記第２の通信手段よりも高速にデータ通信を行い、
前記制御手段は、前記第１または前記第２の通信手段のいずれかが選択されていても受信が許可される第１のデータを受信した後、更に前記第１のデータよりもデータ量が大きいかまたは前記第１のデータとデータの種類が異なる第２のデータを受信する際に、前記第１の通信手段が選択されている場合には、前記第２のデータを当該第１の通信手段を介して受信し、前記第２の通信手段が選択されている場合には前記第２のデータの受信を抑止する
ことを特徴とする請求項１から請求項３のいずれか一に記載の携帯端末。
【請求項５】
計時手段を更に有し、
前記制御手段は、前記計時手段による現時刻情報に応じて前記第１または第２の通信手段が受信を許可するデータを規定する
ことを特徴とする請求項１から請求項４のいずれか一に記載の携帯端末。
【請求項６】
現在の位置に関する位置情報を取得する位置情報取得手段を更に有し、
前記制御手段は、前記位置情報取得手段により得られた位置情報に応じて前記第１または第２の通信手段が受信を許可するデータを規定する
ことを特徴とする請求項１から請求項５のいずれか一に記載の携帯端末。
【発明の詳細な説明】
【技術分野】
【０００１】
本発明は、たとえば、無線方式によりデータ通信を行う携帯端末に関するものである。
【背景技術】
【０００２】
携帯電話等の携帯型通信装置により、たとえば無線基地局およびインターネット網を介してウェブサイトにアクセスし閲覧（ブラウジング）することが一般的となってきている。
携帯電話の高機能化と共に、その通信速度も高速化しつつある。さらに、データ通信に特化した通信手段を含む複数の無線通信手段を備える携帯電話も知られている。
【０００３】
しかし、固定回線と異なり携帯電話の無線通信環境は、接続する場所や時間帯により刻一刻と変化する。そのため複数の通信手段を備える携帯電話において、ある時点では高速な通信手段にて快適にブラウジング可能であったウェブサイトが、ある時点では低速な通信手段しか接続することができず、ユーザが不快に感じるほどウェブページを表示するために時間を要してしまう場合がある。
【０００４】
その時間を要する理由として、通信速度と比較してウェブサイトを構成するテキストデータ、画像データ、音声データ等のデータサイズが大きすぎることが挙げられる。たとえば、ユーザが携帯電話の設定において、「画像データを表示しない」、「音声データを再生しない」等の設定をすることで、それらのデータのダウンロードを省略し、その時間を短縮することも可能である。
【０００５】
上記のような携帯電話によるブラウジングの問題点としては、たとえば、画像データのサイズが通信速度と比較して非常に大きい場合、その画像表示を完了するまでに多くの時間を必要とする点や、ユーザが必要とする情報がウェブサイトのテキスト部分に含まれている場合に、この所要時間はユーザにとって非常に不要なものとなる点などが挙げられる。
一方、携帯電話にて「画像データを表示しない」等の設定を行った場合、通信速度が十分に高速であっても、該当データはダウンロードされず、必要に応じてユーザはダウンロードを要求することになる。
【０００６】
上述した煩雑な操作を簡略化するために、たとえば通信網の負荷に応じた速度で動画通信を提供し、負荷の高い場合には音声通信を負荷が低い場合には映像通信を行う動画通信システムが知られている（たとえば、特許文献１参照）。
上述したシステムでは、たとえば、通信網の負荷が高く、映像通信速度が予め定められた値以下になる場合に、データ受信端末にモード変更通知を出すように要求する。
【０００７】
また、移動体端末から無線基地局に予想下りデータ通信速度と移動体端末の移動体情報とを送信し、無線基地局は該情報を基に移動体端末がダウンロードしているときに該移動体端末により通信状態の良い場所を探し出して通知するシステムが知られている（たとえば、特許文献２参照）。
また、端末の処理能力に応じて基地局でコンテンツの圧縮・分解等を行いそれを端末に送信するシステムが知られている。
【特許文献１】特開平６−２８４１４８号公報
【特許文献２】特開２００４−３１２５２８号公報
【発明の開示】
【発明が解決しようとする課題】
【０００８】
しかし、上述したシステムでは、端末から該端末の再生処理能力を表す情報を基地局に送信し、基地局は携帯端末に送信するコンテンツを該処理能力に応じて圧縮や分割を行って送信するので、基地局側の装置に圧縮や分割を行うための新たに回路を設ける必要があり基地局側の回路構成やシステム構成が複雑になってしまう。
【０００９】
本発明は、かかる事情に鑑みてなされたものであり、その目的は、煩雑な操作を行うことなく、簡単な回路構成で、通信環境に応じて所望のデータを受信可能な携帯端末を提供することにある。
【課題を解決するための手段】
【００１０】
前記目的を達成するために、本発明の携帯端末は、第１の通信方式によりデータ通信を行う第１の通信手段と、前記第１の通信手段の前記第１の通信方式と異なる第２の通信方式によりデータ通信を行う第２の通信手段と、前記第１の通信手段または前記第２の通信手段を選択する制御手段と、を有し、前記第１の通信手段で受信が許可されたデータと前記第２の通信手段で受信が許可されたデータとが異なるように設定されている。
ここでデータとは、データの種類やデータ量を含む。
【００１１】
好適には、前記制御手段は、前記第１の通信手段または前記第２の通信手段を通信環境に応じて選択し、前記制御手段により選択された前記第１の通信手段または前記第２の通信手段は、前記通信環境に応じて規定されたデータを受信する。
【００１２】
また、好適には、前記第１および／または前記第２の通信手段について、少なくともテキストデータ、静止画データ、音声データ、動画データのいずれか１以上を前記受信が許可されたデータとして設定する設定手段を有し、前記第１および／または前記第２の通信手段は、前記設定手段による設定に応じたデータ受信を行う。
【００１３】
また、好適には、前記第１の通信手段は、前記第２の通信手段よりも高速にデータ通信を行い、前記制御手段は、前記第１または前記第２の通信手段のいずれかが選択されていても受信が許可される第１のデータを受信した後、更に前記第１のデータよりもデータ量が大きいかまたは前記第１のデータとデータの種類が異なる第２のデータを受信する際に、前記第１の通信手段が選択されている場合には、前記第２のデータを当該第１の通信手段を介して受信し、前記第２の通信手段が選択されている場合には前記第２のデータの受信を抑止する。
【００１４】
また、好適には、計時手段を更に有し、前記制御手段は、前記計時手段による現時刻情報に応じて前記第１または第２の通信手段が受信を許可するデータを規定する。
【００１５】
また、好適には、現在の位置に関する位置情報を取得する位置情報取得手段を更に有し、前記制御手段は、前記位置情報取得手段により得られた位置情報に応じて前記第１または第２の通信手段が受信を許可するデータを規定する。
【発明の効果】
【００１６】
本発明によれば、煩雑な操作を行うことなく、簡単な回路構成で、通信環境に応じて所望のデータを受信可能な携帯端末を提供することができる。
【発明を実施するための最良の形態】
【００１７】
図１は、本発明に係る携帯端末を採用した通信システムの全体構成図である。
本発明に係る無線通信システム１は、図１に示すように、携帯端末１００、および無線基地局２００を有する。
携帯端末１００は、本発明に係る携帯端末の一例に相当する。携帯端末１００は、たとえば、携帯電話や、ＰＤＡ（Personal Digital Assistant）、腕時計などの無線通信機能を有するコンピュータであってもよい。
携帯端末１００は、無線基地局２００と無線方式によりデータ通信を行う。この際、携帯端末１００と無線基地局２００は、たとえばｃｄｍａ２０００  １ｘＥＶ  ＤＯ方式などの予め規定された通信方式によりデータ通信を行う。
【００１８】
無線基地局２００は、たとえばウェブサイトを提供するサーバ装置とインターネットなどの通信網を介して接続している。このサーバ装置は、たとえばテキストデータ、画像データ、音声データ、プログラム等のその他のデータ等により構成されるウェブサイトを、携帯端末１００から無線基地局２００を介して受信した要求に応じて、要求元の携帯端末１００に提供する。
【００１９】
以下、携帯端末１００の構成の一実施形態を図面を参照しながら説明する。
携帯端末１００は、たとえば図１に示すように、計時部１０、無線通信部１１、現在位置取得部１２、操作部１３、表示部１４、音声処理部１５、ＲＡＭ（Random access memory）１６、ＲＯＭ（Read only memory）１７、および制御部（ＣＰＵ：Central processing unit）１８を有する。
【００２０】
計時部１０は、時刻を計時し、現時刻情報を示す信号を制御部１８に出力する。
【００２１】
無線通信部１１は、制御部１８の制御により、アンテナ１１０を介して無線方式により無線基地局２００とデータ通信を行う。
無線通信部１１は、通信方式の異なる複数の通信部を有する。たとえば本実施形態では、無線通信部１１は、図１に示すように、第１の通信部１１１、および第２の通信部１１２を有する。
【００２２】
第１の通信部１１１は、第１の通信方式によりデータ通信を行う。
第２の通信部１１２は、第１の通信部１１１の第１の通信方式と異なる第２の通信方式によりデータ通信を行う。
また、第１の通信方式と第２の通信方式は、たとえば通信速度、誤り耐性、通信ルート、通信レート等の通信方式が異なる。
本実施形態では、第１の通信部１１１は、第２の通信部１１２よりも高速にデータ通信を行う。
【００２３】
また、第１の通信部１１１で受信が許可されたデータと第２の通信部１１２で受信が許可されたデータとが異なるように設定されている。
つまり、本実施形態では、第１の通信部１１１または第２の通信部１１２を選択することは、ダウンロードするデータを選択することを意味する。
ここでデータとは、データの種類やデータ量を含む。
【００２４】
具体的には、たとえば、高速な通信手段である第１の通信部１１１を選択した場合には、ウェブサイトのすべてのデータ、たとえばテキストデータ、画像（静止画）データ、音声データ、動画データ、その他プログラム等のデータを受信し、それよりも低速な通信手段である第２の通信部１１２を選択した場合には、たとえば、画像（静止画）データ、音声データ、および動画データ等と比較してデータ量の小さいテキストデータのみを受信する。
第１の通信部１１１および第２の通信部１１２による受信が許可されたデータは、後述するように設定可能である。
【００２５】
現在位置取得部１２は、制御部１８の制御により、たとえば携帯端末１００の現在の位置を所定のタイミングで計測して、その計測の結果に基づいて現在の位置に関する位置情報を取得し、取得した位置情報を示す信号を制御部１８に出力する。
現在位置取得部１２は、たとえば、ＧＰＳ（Global Positioning System）衛星からのＧＰＳ信号を基に位置情報を取得してもよいし、無線基地局２００とのデータ通信により位置情報を取得してもよい。
【００２６】
操作部１３は、たとえばユーザによる操作に応じた信号を制御部１８に出力する。操作部１３は、たとえばキーボード、タッチパネル、ポインティングデバイス等の操作入力装置により構成される。
【００２７】
操作部１３は、第１の通信部１１１および／または第２の通信部１１２について、少なくともテキストデータ、静止画データ、音声データ、動画データのいずれか１以上を受信が許可されたデータとして設定する。
第１の通信部１１１および／または第２の通信部１１２は、操作部１３による設定に応じたデータ受信を行う。
【００２８】
詳細には、操作部１３は、無線通信部１１内の複数の無線部それぞれについて、少なくともテキストデータ、静止画データ、音声データ、動画データのいずれかを受信が許可されたデータとして設定するための信号を、制御部１８に出力する。制御部１８は、操作部１３から入力された信号に応じて、無線通信部１１の複数の無線部それぞれについて受信可能なデータを設定する。設定情報ＤＡ１は、たとえばＲＡＭ１６などの記憶装置に記憶される。
【００２９】
具体的には、本実施形態では、たとえば携帯端末１００が無線基地局２００を介してウェブサイトをブラウジングを行う際に、後述するように操作部１３によりダウンロードするデータの種類毎に、受信（ダウンロード）許可または受信禁止などの条件を設定する。
【００３０】
たとえば、本実施形態ではダウンロードする設定機能の項目として、
１．テキストデータのダウンロード許可または禁止、
２．画像データのダウンロード許可または禁止、
３．音声データのダウンロード許可または禁止、
４．動画データのダウンロード許可または禁止、
５．その他データのダウンロード許可または禁止、
などを規定する。
【００３１】
また、本実施形態ではダウンロード設定機能の各項目の条件として、
１．通信方法として、複数の通信手段を備える場合には、排他的に自動または手動で通信方法を選択、
２．時間としてたとえば、データのダウンロードの要求を開始した時間、
３．データのダウンロードの要求を開始した場所、
などを規定する。
【００３２】
図２は、図１に示した携帯端末１００の設定情報の一具体例を説明するための図である。
設定情報ＤＡ１は、たとえば図２に示すように、テキストデータ、画像（静止画）データ、音声データ、動画データ、およびその他プログラム等データそれぞれについて、高速通信時（第１の通信部１１１選択時）、低速通信時（第２の通信部１１２選択時）、時間、および場所での受信条件（ダウンロード条件）を関連付けて記憶する。
【００３３】
この際、たとえば許可設定よりも禁止設定が優先順位が高い。つまり、たとえば第１の通信部１１１による高速通信時の場合に、音声データは、図２に示すように、図書館などの静寂が求められる場所で禁止設定されていると、ダウンロードが抑止される。
【００３４】
表示部１４は、制御部１８の制御により、本発明に係る画像表示を行う。表示部１４は、たとえば液晶表示装置（ＬＣＤ：Liquid crystal display）や、有機ＥＬ表示装置等の表示装置により構成されている。
【００３５】
音声処理部１５は、制御部１８の制御により、たとえば音声信号に応じてスピーカ１５１を介して発音し、またマイクロフォン１５２によりユーザによる音声が変換された電気信号を制御部１８に出力する。
【００３６】
ＲＡＭ１６は、たとえば、制御部１８のワークスペースとして用いられる。また、ＲＡＭ１６は、たとえば上述した設定情報ＤＡ１を記憶する。
ＲＯＭ１７は、たとえば、本発明に係る機能を有するプログラムや初期設定情報等が記憶されている。
制御部１８は、たとえば、プログラムを実行することにより、装置の各構成要素を統括的に制御する。
【００３７】
制御部１８は、たとえば、第１の通信部１１１または第２の通信部１１２を選択する。詳細には、制御部１８は、前記第１の通信手段または前記第２の通信手段を通信環境に応じて選択する。
【００３８】
また、本実施形態に係る制御部１８は、第１の通信部１１１または第２の通信部１１２のいずれかが選択されていても受信が許可される第１のデータを受信した後、更に第１のデータよりもデータ量が大きいかまたは第１のデータとデータの種類が異なる第２のデータを受信する際に、第１の通信部１１１が選択されている場合には、第２のデータを当該第１の通信部１１１を介して受信し、第２の通信部が選択されている場合には第２のデータの受信を抑止する。
【００３９】
たとえば、本実施形態ではテキストデータが第１のデータの一例に相当し、画像（静止画）データ、音声データ、動画データ等が第２のデータの一例に相当する。
【００４０】
図３は、図１に示した携帯端末１００の動作を説明するためのフローチャートである。
図３を参照しながら、携帯端末１００の動作を、制御部１８の動作を中心に説明する。
本実施形態では、携帯端末１００が、無線基地局２００を介して、テキストデータ、画像（静止画）データ、音声データ、動画データ、その他データ（プログラム等）により構成されるウェブサイト（ウェブページ）を提供するウェブサーバ装置にアクセスして、所望のデータをダウンロードして、表示部１４に表示する場合を説明する。
また、後述するように図３に示すフローチャートは、条件が時刻や場所の場合にも適用される。
【００４１】
ステップＳＴ１において、制御部１８は、たとえばユーザの操作により操作部１３からウェブブラウザの起動要求を示す信号が入力されると、ＲＯＭ１７に記憶するウェブブラウザを実行する。
制御部１８は、ダウンロード設定（受信設定）内容の設定を行うか否かを判断する。詳細には、制御部１８は、たとえば操作部１３から受信内容を設定する信号が入力されたと判断した場合にステップＳＴ２の処理に進み、それ以外の場合にステップＳＴ３の処理に進む。
【００４２】
ステップＳＴ２において、制御部１８は、表示部１４にダウンロードの設定内容を設定するための表示を行う。
【００４３】
図４は、図１に示した携帯端末１００によるダウンロード設定（受信）に関する動作を説明するための図である。
たとえば、制御部１８は、表示部１４に図４に示すようなダウンロード設定を行うための表示を行う。
【００４４】
本実施形態では、図４に示すように、制御部１８は、画像データ、音声データ、動画データそれぞれについて「常時ダウンロード（ＤＬ）する」、「高速通信時のみダウンロード（ＤＬ）する」、または「常時ダウンロード（ＤＬ）しない」のいずれかを択一的に選択させるＧＵＩ（Graphical user interface）画面を表示部１４に表示し、ユーザ操作により操作部１３から入力された信号に応じて、図２に示すような設定情報ＤＡ１を生成して、ＲＡＭ１６などの記憶装置に記憶する。
【００４５】
また、制御部１８は、上述した設定情報ＤＡ１を、所定のタイミングで表示部１４に表示する機能を設けてもよい。こうすることで設定情報ＤＡ１をユーザに適宜通知することができる。
【００４６】
ステップＳＴ３において、制御部１８は、たとえば本発明に係るダウンロード（受信）設定機能が有効であるか否かを判断する。制御部１８は、ダウンロード設定機能が有効であると判断した場合にステップＳＴ４の処理に進み、ダウンロード設定機能が有効でないと判断した場合にステップＳＴ６の処理に進む。
【００４７】
ステップＳＴ４において、制御部１８は、現在の通信環境の確認を行う。
詳細には、制御部１８は、たとえば第１の通信部１１１または第２の通信部１１２によりデータ通信を行う場合に、どちらの通信部を選択するか制御する。
【００４８】
具体的には制御部１８は、第１の通信部１１１または第２の通信部１１２を通信環境に応じて選択する。たとえば、制御部１８は、通信状態が良好でない場合に誤り訂正能力が比較的大きく低速通信を行う第２の通信部１１２を選択し、通信状態が良好な場合に誤り訂正能力が比較的小さく高速通信を行う第１の通信部１１１を選択する。
【００４９】
この際、たとえば無線通信部１１内に自動的に通信環境により第１の通信部１１１または第２の通信部１１２を切り替えてデータ通信を行う機能が備えている場合には、制御部１８は、現在データ通信を行っている第１の通信部１１１または第２の通信部１１２を特定する。
【００５０】
ステップＳＴ５において、制御部１８は、たとえばＲＡＭ１６に記憶されている設定情報ＤＡ１に基づいて、画像データ、音声データ、動画像データ等の各種データが、ダウンロード設定の条件を満たすか否かを判断し、満たすと判断したデータについてダウンロードを開始し、ダウンロード設定の条件を満たしていないと判断したデータについては、ダウンロードを抑止して、ステップＳＴ７の処理に進む。
【００５１】
ステップＳＴ６において、制御部１８は、ダウンロード設定機能が無効である場合に、つまりフルダウンロードの場合に、全てのデータ、詳細にテキストデータ、画像（静止画）データ、音声データ、動画データなどをダウンロードする。つまり通常のブラウジング処理を行い、ステップＳＴ７の処理に進む。
【００５２】
ステップＳＴ７において、制御部１８は、表示部１４にダウンロードしたデータに基づいてウェブサイトの表示を行う。
【００５３】
図５は、図１に示した携帯端末１００の表示画面の一具体例を説明するための図である。図５（ａ）は、低速通信時の表示画面の一具体例を示す図である。図５（ｂ）は、高速通信時またはフルダウンロード時の表示画面の一具体例を示す図である。
【００５４】
詳細には、制御部１８は、低速通信時、画像データのダウンロードが禁止されテキストデータのみがダウンロード許可されている場合に、図５（ａ）に示すように、表示部１４に、ダウンロードしたテキストデータＤＴに応じた表示を行う。たとえば、本来画像が表示されるべき位置には画像抑止の旨を示す画像Ｐ１を表示する。
また、制御部１８は、高速通信時またはフルダウンロード時、画像データおよびテキストデータがダウンロード許可されている場合に、図５（ｂ）に示すように、表示部１４に、ダウンロードした画像データおよびテキストデータＤＴに応じた表示を行う。たとえば上述した本来画像が表示されるべき位置にはダウンロードした画像ＰＣが表示される。
【００５５】
以上、説明したように、第１の通信方式によりデータ通信を行う第１の通信部１１１と、第１の通信部１１１の第１の通信方式と異なる第２の通信方式によりデータ通信を行う第２の通信部１１２と、第１の通信部１１１または第２の通信部１１２を通信環境に応じて選択する制御部１８とを有し、第１の通信部１１１で受信が許可されたデータと第２の通信部１１２で受信が許可されたデータとが異なるように設定されているので、たとえば、第１の通信部１１１ではテキストデータ、画像（静止画）データ、および音声データがダウンロード可能に設定され、第２の通信部１１２ではテキストデータのみがダウンロード可能に設定されている場合に、第１の通信部１１１または第２の通信部１１２を選択することで、自動的にダウンロードするデータを選択することができる。
このため、煩雑な操作を行うことなく、簡単な回路構成で、通信環境に応じて所望のデータを受信することができる。
つまり、異なる通信方式の複数の通信部を設け、それぞれダウンロード可能なデータが異なるように規定しているので、通信速度や安定性に応じて通信部を選択することで、その環境下において最適なブラウジングの設定を提供することができる。
【００５６】
図６は、図１に示した携帯端末１００の高速通信時および低速通信時の動作を説明するためのフローチャートである。
次に、ステップＳＴ５における通信環境に応じたダウンロード処理の一具体例について、図６を参照しながら説明する。
本実施形態では、たとえば第１の通信部１１１や第２の通信部１１２のどちらの通信部によりデータ受信を行っていた場合あっても、予め設定された比較的データ量の小さいテキストデータ（第１のデータ）を無条件で受信した後、テキストデータよりもデータ量の大きい画像（静止画）データ、音声データ、動画像データ等（第２のデータ）などは、設定情報ＤＡ１に基づいて、選択している通信部に応じてダウンロードするか否かを決定する。
【００５７】
ステップＳＴ５１において、制御部１８は、予め設定されたテキストデータを、第１の通信部１１１または第２の通信部１１２によりダウンロード（受信）する。
【００５８】
ステップＳＴ５２において、制御部１８は、通信方法として、第１の通信部１１１または第２の通信部１１２のどちらの通信部を選択し、低速通信を行う場合には第１の通信部１１１を選択してステップＳＴ５３の処理に進み、高速通信を行う場合には第２の通信部１１２を選択してステップＳＴ５５の処理に進む。
この際、上述したように、たとえば無線通信部１１内に自動的に通信環境により第１の通信部１１１または第２の通信部１１２を切り替えてデータ通信を行う機能が備えている場合には、制御部１８は、現在データ通信を行っている第１の通信部１１１または第２の通信部１１２を特定する。
【００５９】
ステップＳＴ５３において、制御部１８は、たとえば図２に示した設定情報ＤＡ１に基づいて、低速通信時にテキストデータよりも比較的データ量の大きい画像データや音声データなどのデータについてダウンロード許可がされているか否かを判断し、ダウンロード許可がされている場合に画像データ等をダウンロードし（ＳＴ５４）、それ以外の場合に画像データ等をダウンロードしない。
【００６０】
ステップＳＴ５５において、制御部１８は、たとえば図２に示した設定情報ＤＡ１に基づいて、高速速通信時にテキストデータよりも比較的データ量の大きい画像データや音声データなどのデータについてダウンロード許可がされているか否かを判断し、ダウンロード許可がされている場合に画像データ等をダウンロードし（ＳＴ５６）、それ以外の場合には画像データ等をダウンロードしない。
【００６１】
上述したように、通信環境に応じて、ある程度の速度、詳細には表示速度でウェブブラウジングが可能である。
また、制御部１８は、予め設定されたデータ、たとえばテキストデータを受信した後、第１の通信部１１１を選択している場合に、テキストデータよりもデータ量の大きいデータ、たとえば画像データや音声データ等を第１の通信部１１１を介して受信し、第２の通信部１１２を選択している場合にそのテキストデータよりもデータ量の大きいデータ、たとえば画像データや音声データ等の受信を抑止することで、ユーザは快適なウェブブラウジングを行うことができる。
【００６２】
つまり、低速通信時の設定と、高速通信時の設定を自動で行うことで、ユーザは低速通信環境でもストレスを軽減したウェブブラウジングが可能であり、高速通信環境では、テキストデータ、画像データ、音声データなどのウェブページのデータの全てをダウンロードして出力することができ、快適なブラウジングが可能である。
【００６３】
図７は、図１に示した携帯端末１００の時刻に応じたダウンロード設定時の動作を説明するためのフローチャートである。
図７を参照しながら、携帯端末１００の時刻に応じた動作を、制御部１８の動作を中心に説明する。
本実施形態では、制御部１８は、たとえば計時部１０による現時刻情報および設定情報ＤＡ１に応じて第１の通信部１１１または第２の通信部１１２が受信を許可するデータを規定する。
つまり、たとえば図２に示すように、設定情報ＤＡ１として、予めダウンロードするデータそれぞれに、時間に応じてダウンロードの許可またはダウンロードの禁止を設定しておき、制御部１８が現時刻情報および設定情報ＤＡ１に応じてデータを選択してダウンロードする。
【００６４】
ステップＳＴ１０１において、制御部１８は、予め設定されたテキストデータを、第１の通信部１１１または第２の通信部１１２によりダウンロード（受信）する。
【００６５】
ステップＳＴ１０２において、制御部１８は、計時部１０による現時刻情報および設定情報ＤＡ１に応じて、各データごとにダウンロード許可された時間範囲内であるか否かを判断する。たとえば画像データについてダウンロード許可された時間範囲内であると判断した場合に、制御部１８は、無線通信部１１または第２の通信部１１２により画像データをダウンロードし（ステップＳＴ１０３）、画像データについてダウンロード許可された時間範囲内でないと判断した場合に、たとえば画像データのダウンロードを抑止する。
【００６６】
以上、説明したように、制御部１８は、たとえば計時部１０による現時刻情報および設定情報ＤＡ１に応じて第１の通信部１１１または第２の通信部１１２が受信を許可するデータを規定するので、たとえば通信費が時刻や曜日により変更される場合は、時間によりダウンロードするデータを制限することで通信費を低減することができる。
上述した実施形態では画像データについて説明したが、画像データ以外の音声データや動画データ等についても個別にダウンロード許可またはダウンロード禁止を設定することで、より詳細にデータのダウンロードを制御することができる。
【００６７】
図８は、図１に示した携帯端末１００の場所に応じたダウンロード設定時の動作を説明するためのフローチャートである。
図８を参照しながら、携帯端末１００の場所に応じた動作を、制御部１８の動作を中心に説明する。
【００６８】
制御部１８は、たとえば現在位置取得部（ＧＰＳ受信部）１２による携帯端末１００の現在の位置を示す位置情報および設定情報ＤＡ１に応じて第１の通信部１１１または第２の通信部１１２が受信を許可するデータを規定する。
つまり、たとえば図２に示すように、設定情報ＤＡ１として、予めダウンロードするデータそれぞれに、場所に応じてダウンロードの許可またはダウンロードの禁止を設定しておき、制御部１８が位置情報および設定情報ＤＡ１に応じてデータを選択してダウンロードする。
【００６９】
ステップＳＴ２０１において、制御部１８は、予め設定されたテキストデータを、第１の通信部１１１または第２の通信部１１２によりダウンロード（受信）する。
【００７０】
ステップＳＴ２０２において、制御部１８は、現在位置取得部１２による位置情報および設定情報ＤＡ１に応じて、各データごとにダウンロード許可された場所であるか否かを判断する。たとえば音声データについてダウンロード許可された場所であると判断した場合に、制御部１８は、無線通信部１１または第２の通信部１１２により音声データをダウンロードし（ステップＳＴ２０３）、音声データについてダウンロード許可された場所でないと判断した場合に、たとえば音声データのダウンロードを抑止する。
【００７１】
以上、説明したように、制御部１８は、現在位置取得部１２による携帯端末１００の現在の位置を示す位置情報および設定情報ＤＡ１に応じて第１の通信部１１１または第２の通信部１１２が受信を許可するデータを規定するので、たとえば、音声データについて視聴が困難な場合、たとえば、図書館や映画館、電車の中等、マナーとして静寂が求められる場所において、音声データなどのダウンロードによる再生を抑止することで、周囲に迷惑をかけることがない。
上述した実施形態では音声データについて説明したが、音声データ以外の画像（静止画）データや動画データ等についても個別にダウンロード許可またはダウンロード禁止を設定することで、より詳細にデータのダウンロードを制御することができる
【００７２】
なお、本発明は本実施の形態に限られるものではなく、任意好適な種々の改変が可能である。
ダウンロードの設定機能の条件は、上述した形態に限られるものではない。
たとえば、通信速度、電波状況に応じて受信するデータを設定してもよい。また、ダウンロード開始から完了までの予想所要時間に応じて受信するデータを設定してもよい。また、ダウンロードするデータサイズに応じて受信するデータを設定してもよい。また、ダウンロード完了までにかかる予想通信費に応じて受信するデータを設定してもよい。
この際、処理対象は該当データ１つあたり、該当データ全部の合計、サイト１ページ全体の合計のいずれかを選択するようにしてもよい。
【００７３】
また、上述した実施形態では、通信方式の異なる第１の通信部１１１と第２の通信部１１２とを設けたが、３個以上の複数の通信部を設け、それぞれの通信部について受信が許可されたデータが異なるように設定してもよい。
【産業上の利用可能性】
【００７４】
本発明は、たとえば、無線方式によりデータ通信を行う携帯端末に適用することができる。
【図面の簡単な説明】
【００７５】
【図１】本発明に係る携帯端末を採用した通信システムの全体構成図である。
【図２】図１に示した携帯端末１００の設定情報の一具体例を説明するための図である。
【図３】図１に示した携帯端末１００の動作を説明するためのフローチャートである。
【図４】図１に示した携帯端末１００によるダウンロード設定（受信）に関する動作を説明するための図である。
【図５】図１に示した携帯端末１００の表示画面の一具体例を説明するための図である。（ａ）は、低速通信時の表示画面の一具体例を示す図である。（ｂ）は、高速通信時またはフルダウンロード時の表示画面の一具体例を示す図である。
【図６】図１に示した携帯端末１００の高速通信時および低速通信時の動作を説明するためのフローチャートである。
【図７】図１に示した携帯端末１００の時刻に応じたダウンロード設定時の動作を説明するためのフローチャートである。
【図８】図１に示した携帯端末１００の場所に応じたダウンロード設定時の動作を説明するためのフローチャートである。
【符号の説明】
【００７６】
１…無線通信システム、１０…計時部、１１…無線通信部、１２…現在位置取得部、１３…操作部、１４…表示部、１５…音声処理部、１６…ＲＡＭ、１７…ＲＯＭ、１８…制御部（ＣＰＵ：）、１００…携帯端末、１１０…アンテナ、１１１…第１の通信部、１１２…第２の通信部、１５１…スピーカ、１５２…マイクロフォン、２００…無線基地局。
【図１】
2006186650.tif 000003
【図２】
2006186650.tif 000004
【図３】
2006186650.tif 000005
【図４】
2006186650.tif 000006
【図５】
2006186650.tif 000007
【図６】
2006186650.tif 000008
【図７】
2006186650.tif 000009
【図８】
2006186650.tif 000010